(57)【要約】【課題】ふとん篭を形成する金網パネルの外周枠に改良を施すことにより、該外周枠及び金網パネルの形状を安定化させると共に、該金網パネルを使用してふとん篭を形成する際に、該金網パネルを隙間なく整然としかも安定的に配置して連結することができるようにする。【解決手段】ふとん篭を形成する金網パネル２−７が、矩形の金網板１０の外周に針金からなる矩形の外周枠１１を取り付けることにより形成され、前記外周枠１１は、針金をコ字形に折曲した一対の枠半体１３，１４からなっていて、該枠半体は、縦枠線部１３ａ，１４ａと、該縦枠線部１３ａ，１４ａの両端から直角且つ相互に平行をなすように延出する左右の横枠線部１３ｂ，１４ｂとを有し、一方の枠半体１３における前記左右の横枠線部１３ｂの先端と、他方の枠半体１４における前記左右の横枠線部１４ｂの先端とを相互に連結することにより、前記外周枠１１が形成されている。【選択図】図４
2017066837.tif 000002
【特許請求の範囲】
【請求項１】
直方体状をしたふとん篭を形成するための矩形の金網パネルであって、該金網パネルは、矩形の金網板の外周に針金からなる矩形の外周枠を取り付けることにより形成され、
前記外周枠は、針金をコ字形に折曲した一対の枠半体からなっていて、該枠半体は、縦枠線部と、該縦枠線部の両端から直角且つ互いに平行に延出する左右の横枠線部とを有し、一方の枠半体における左右の横枠線部の先端と、他方の枠半体における左右の横枠線部の先端とを相互に連結することにより、前記外周枠が形成されている、
ことを特徴とするふとん篭用金網パネル。
【請求項２】
前記金網パネルは長手方向と短手方向とを有し、前記外周枠は、前記金網パネルの長手方向一半部側の第１の枠半体と、他半部側の第２の枠半体とからなり、該第１の枠半体と第２の枠半体とは、前記金網パネルの長手方向の中央部で相互に連結され、該金網パネルの中央部には、補強用の骨線が該金網パネルを短手方向に横断するように配設され、該骨線の両端が、前記第１の枠半体と第２の枠半体とが連結された連結部の位置で前記外周枠に結着されていることを特徴とする請求項１に記載の金網パネル。
【請求項３】
前記骨線は、前記第１の枠半体と第２の枠半体とを連結するための連結金具を兼ねていることを特徴とする請求項２に記載の金網パネル。
【請求項４】
前記第１の枠半体における左右の横枠線部の先端と、前記第２の枠半体における左右の横枠線部の先端とに、それぞれ環が形成され、前記第１の枠半体の横枠線部に形成された環と前記第２の枠半体の横枠線部に形成された環とを前記骨線で相互に連結することにより、前記第１の枠半体と第２の枠半体とが相互に連結されていることを特徴とする請求項３に記載の金網パネル。
【請求項５】
内部に石材が充填される直方体状のふとん篭であって、該ふとん篭は、底面、前面、後面、左面、右面、上面の六面に配置された矩形の金網パネルを有し、前記六面の金網パネルのうち少なくとも前面及び後面の金網パネルが請求項１から４の何れかに記載された金網パネルであることを特徴とするふとん篭。
【請求項６】
前記六面の金網パネルはそれぞれ個別に形成され、該六面の金網パネルのうち底面、前面、後面及び上面の金網パネルが請求項１から４の何れかに記載された金網パネルであることを特徴とする請求項５に記載のふとん篭。
【請求項７】
前記六面の金網パネルのうち、底面、前面及び後面の金網パネルは一連の菱形金網よって一体に形成されていることを特徴とする請求項５に記載のふとん篭。
【発明の詳細な説明】
【技術分野】
【０００１】
本発明は、ふとん篭を形成するための金網パネルと、この金網パネルで形成されたふとん篭とに関するものである。
【背景技術】
【０００２】
例えば、海岸、河岸、湖岸等の岸辺に護岸壁を構築したり、傾斜地の法面に補強壁を構築したりする場合に、図７に示すようなふとん篭３０が使用される。このふとん篭３０は、菱形金網からなる矩形の金網パネル３１ａ−３１ｆを底面、前面、後面、左面、右面、上面に配置することにより直方体状に形成したもので、上面の金網パネル３１ｆを取り外した状態で内部に栗石等の石材を充填したあと、前記上面の金網パネル３１ｆを取り付けることにより、石詰めされたふとん篭即ち石詰篭を形成し、それを現場に運搬して前後、左右、あるいは上下に並べて設置することにより、前記護岸壁や補強壁が形成される。
【０００３】
前記ふとん篭３０は、通常、図９又は図１０に展開図として示すような構成を有している。このうち、図９に示すふとん篭３０Ａでは、前記金網パネル３１ａ−３１ｆが個別に形成されていて、各金網パネル３１ａ−３１ｆの外周に、針金からなる外周枠３２が取り付けられている。この外周枠３２は、底面の金網パネル３１ａと前面の金網パネル３１ｂと左面の金網パネル３１ｄとで代表的に示すように、矩形の金網板３３の四つの辺にそれぞれ枠線３２ａ−３２ｄを個別に取り付け、隣接する枠線の端部同士を金網パネル３１ａ−３１ｆのコーナー部即ち四隅で連結することにより、矩形枠状に形成されている。前記枠線３２ａ−３２ｄ同士の連結は、該枠線３２ａ−３２ｄの端部を環状又は鉤状に折り曲げて相互に絡ませることにより行われる。図中の符号３５は、補強用の骨線である。
そして、前記六面の金網パネル３１ａ−３１ｆを直方体状に配置し、隣接する金網パネル３１ａ−３１ｆの外周枠３２の相対する枠線３２ａ−３２ｄ同士をコイル状の連結金具３４を巻き付けて連結することにより、前記ふとん篭３０が形成される。
【０００４】
一方、図１０に示すふとん篭３０Ｂでは、底面と前面と後面とに配置される金網パネル３１ａ−３１ｃが、一枚の菱形金網３３Ａにより一続きに形成され、その他の左面、右面、及び上面の金網パネル３１ｄ−３１ｆは、個別に形成されている。また、各金網パネル３１ａ−３１ｆの外周に取り付けられた矩形の外周枠３２は、矩形の金網板３３の四つの辺に個別に取り付けられた枠線３２ａ−３２ｄを相互に連結することにより形成されているが、前記底面の金網パネル３１ａの外周枠３２と、前記前面及び後面の金網パネル３１ｂ，３１ｃの外周枠３２とは、それらの境界に挿通された一本の枠線３２ａｂ，３２ａｂを共有している。
そして、前記前面及び後面の金網パネル３１ｂ，３１ｃを前記共有する枠線３２ａｂ，３２ａｂの位置で折り曲げて起立させたあと、左面及び右面の金網パネル３１ｄ，３１ｅを連結金具３４で連結することにより容体部分を組み立て、この容体部分に石材を充填したあと上面の金網パネル３１ｆを取り付けることにより、前記石詰篭３０が形成される。
【０００５】
このような構成を有する従来のふとん篭３０においては、各金網パネル３１ａ−３１ｆの外周枠３２が、四本の枠線３２ａ−３２ｄの端部同士を該金網パネルの四隅で連結することにより形成されているため、該金網パネル３１ａ−３１ｆを連結してふとん篭３０を組み立てる際に、図７及び図８から明らかなように、該ふとん篭３０の各稜角部に、該稜角部を取り囲む三つの面の金網パネルの前記枠線の連結部が集中することになる。この連結部は、隣接する二本の枠線の端部を環状又は鉤状に折り曲げて相互に絡ませているため、かなり嵩張った状態になっており、このような嵩張った連結部がふとん篭３０の稜角部に集中すると、それらが互いに接触し合うことによって外側にふくれ、コンパクトにまとまりにくい。このため、隣接する金網パネル３１ａ−３１ｆを隙間なく整然としかも安定的に配置して連結することが困難になり易い。
【０００６】
しかも、前記外周枠を形成する四本の枠線３２ａ−３２ｄは、前述のように、端部を環状又は鉤状に折り曲げることによって連結されているため、それらの連結状態は比較的緩く、枠線の変位や位置ずれ等によって外周枠が変形し易いだけでなく、この外周枠の変形に合わせて菱形金網の列線も弛むため、金網パネル全体の形状も安定しにくいという問題もあった。
【発明の概要】
【発明が解決しようとする課題】
【０００７】
本発明の技術的課題は、ふとん篭を形成する金網パネルの外周枠に改良を施すことにより、該外周枠及び金網パネルの形状を安定化させると共に、該金網パネルを使用してふとん篭を形成する際に、該金網パネルを隙間なく整然としかも安定的に配置して連結することができるようにすることにある。
【課題を解決するための手段】
【０００８】
前記課題を解決するため、本発明に係るふとん篭用金網パネルは、矩形の金網板の外周に針金からなる矩形の外周枠を取り付けることにより形成され、前記外周枠は、針金をコ字形に折曲した一対の枠半体からなっていて、該枠半体は、縦枠線部と、該縦枠線部の両端から直角且つ互いに平行をなすように延出する左右の横枠線部とを有し、一方の枠半体における左右の横枠線部の先端と、他方の枠半体における左右の横枠線部の先端とを相互に連結することにより、前記外周枠が形成されている。
【０００９】
本発明において、前記金網パネルは長手方向と短手方向とを有し、前記外周枠は、前記金網パネルの長手方向一半部側の第１の枠半体と、他半部側の第２の枠半体とからなり、該第１の枠半体と第２の枠半体とは、前記金網パネルの長手方向の中央部で相互に連結され、該金網パネルの中央部には、補強用の骨線が該金網パネルを短手方向に横断するように配設され、該骨線の両端が、前記第１の枠半体と第２の枠半体とが連結された連結部の位置で前記外周枠に結着されていることが望ましい。
【００１０】
また、本発明においては、前記骨線が、前記第１の枠半体と第２の枠半体とを連結するための連結金具を兼ねていても良い。
この場合、前記第１の枠半体における左右の横枠線部の先端と、前記第２の枠半体における左右の横枠線部の先端とに、それぞれ環が形成され、前記第１の枠半体の横枠線部に形成された環と前記第２の枠半体の横枠線部に形成された環とを前記骨線で相互に連結することにより、前記第１の枠半体と第２の枠半体とが相互に連結される。
【００１１】
また、本発明によれば、前記金網パネルを用いた直方体状のふとん篭が提供される。該ふとん篭は、底面、前面、後面、左面、右面、上面の六面に配置された矩形の金網パネルのうち、少なくとも前面及び後面の金網パネルが、請求項１から４の何れかに記載された金網パネルである。
この場合、前記六面の金網パネルがそれぞれ個別に形成されていて、該六面の金網パネルのうち底面、前面、後面及び上面の金網パネルが前記請求項１から４の何れかに記載された金網パネルであっても良く、あるいは、前記六面の金網パネルのうち、底面、前面及び後面の金網パネルが一連の菱形金網よって一体に形成されていても良い。
【発明の効果】
【００１２】
本発明によれば、金網パネルの外周枠を、コ字形をした一対の枠半体で形成したことにより、前記外周枠が四本の枠線を連結することにより形成されている従来の金網パネルに比べ、枠線の変位や位置ずれ等による外周枠の変形や金網パネル全体の変形等が生じにくく、また、前記従来の金網パネルのように四本の枠線を該金網パネルの四隅で連結した構成ではないため、該金網パネルを使用してふとん篭を形成する際に、隣接する金網パネルにおける枠線の連結部がふとん篭の稜角部に集中することがなく、このため、各金網パネルを隙間なく整然としかも安定的に配置して連結することができる。
【図面の簡単な説明】
【００１３】
【図１】本発明に係るふとん篭の第１実施形態を示す斜視図である。
【図２】図１の要部拡大図である。
【図３】図１のふとん篭の展開図である。
【図４】一部の金網パネルの拡大平面図である。
【図５】本発明に係るふとん篭の第２実施形態を示す斜視図である。
【図６】図４のふとん篭の展開図である。
【図７】従来のふとん篭の斜視図である。
【図８】図７の要部拡大図である。
【図９】従来のふとん篭の一つの構成例を示す展開図である。
【図１０】従来のふとん篭の他の構成例を示す展開図である。
【発明を実施するための形態】
【００１４】
図１には本発明に係るふとん篭の第１実施形態が示されている。このふとん篭１Ａは、菱形金網によって直方体状に形成されたもので、長さＬ方向と幅Ｗ方向と高さＨ方向とを有し、内部に栗石等の石材を充填することにより石詰篭として設置現場に搬送し、前後、左右、上下に並べて設置することにより、海岸、河岸、湖岸等の岸辺に護岸壁を構築したり、傾斜地の法面に補強壁を構築したりするものである。
前記ふとん篭１Ａの長さＬと幅Ｗと高さＨとの寸法関係は、通常Ｌ＞Ｗ＞Ｈであり、具体的な数値の一例は、Ｌ＝２０００ｍｍ、Ｗ＝１０００ｍｍ、Ｈ＝５００ｍｍであるが、それ以外の数値ももちろん存在する。
【００１５】
前記ふとん篭１Ａは、図３の展開図からも明らかなように、底面の金網パネル２と、前面の金網パネル３と、後面の金網パネル４と、左面の金網パネル５と、右面の金網パネル６と、上面の金網パネル７との、六面の金網パネルによって形成されている。これらの金網パネル２−７は、菱形金網からなる矩形の金網板１０の外周に、針金からなる矩形の外周枠１１を取り付けることにより直方体状に形成されたもので、長手方向と短手方向とを有し、六面の金網パネル２−７が全て別々に形成されている。
【００１６】
前記六面の金網パネル２−７のうち、底面、前面、後面及び上面の金網パネル２，３，４，７と、左面及び右面の金網パネル５，６とでは、金網板１０に対する外周枠１１の取り付け方が互いに異なっている。しかし、前記底面、前面、後面及び上面の金網パネル２，３，４，７同士、及び、前記左面及び右面の金網パネル５，６同士では、金網板１０に対する外周枠１１の取り付け方が互いに同じである。
【００１７】
そこで、先ず、前記底面、前面、後面及び上面の金網パネル２，３，４，７の、金網板１０に対する外周枠１１の取り付け方について、図４により、底面の金網パネル２を代表例にして説明する。
【００１８】
前記底面の金網パネル２において、菱形金網からなる前記金網板１０は、偏平螺旋状に折曲した列線１２の折曲部１２ａ同士を順次連繋させることにより形成されていて、前記列線１２は、前記金網パネル２の長手方向（ふとん篭１Ａの長さＬ方向）に延在するように配列されている。
【００１９】
一方、前記外周枠１１は、針金をコ字形に折曲して形成した一対の枠半体１３，１４を、相互に連結することにより形成されたもので、前記金網板１０の長手方向の一半部側に一方の第１の枠半体１３が取り付けられ、該金網板１０の長手方向の他半部側に他方の第２の枠半体１４が取り付けられている。
前記枠半体１３，１４は、縦枠線部１３ａ，１４ａと、該縦枠線部１３ａ，１４ａの両端から直角且つ互いに平行に延出する左右の横枠線部１３ｂ，１４ｂとを有し、一対の枠半体１３，１４は、実質的に互いに同じ形状及び同じ大きさを有している。
【００２０】
前記一対の枠半体１３，１４は、前記金網板１０に次のようにして装着され、且つ相互に連結されている。
即ち、前記第１の枠半体１３は、前記金網板１０の長手方向の一端側から、左右の横枠線部１３ｂを、該金網板１０の短手方向の両端に位置する列線１２の内部にそれぞれ挿通して該列線１２の折曲部１２ａに係止させることにより、該金網板１０の長手方向の一半部側に装着され、前記第２の枠半体１４は、前記金網板１０の長手方向の他端側から、左右の横枠線部１４ｂを、前記金網板１０の短手方向の両端に位置する列線１２の内部にそれぞれ挿通して該列線１２の折曲部１２ａに係止させることにより、該金網板１０の長手方向の他半部側に装着される。
【００２１】
次に、前記第１の枠半体１３の左右の横枠線部１３ｂの先端に形成された連結用の環１５と、前記第２の枠半体１４の左右の横枠線部１４ｂの先端に形成された連結用の環１６とを相互に重ね合わせ、前記金網板１０を短手方向に横断するように配設された骨線１７の一端と他端とを、前記重ね合わせた環１５，１６内にそれぞれ挿通し、折り曲げて前記環１５，１６同士を相互に結着、固定することにより、前記第１の枠半体１３と第２の枠半体１４とが相互に連結されて、前記外周枠１１が形成される。
従って、前記外周枠１１の長辺である横枠辺１１ｂは、相互に連結された前記第１の枠半体１３の横枠線部１３ｂと第２の枠半体１４の横枠線部１４ｂとによって形成され、前記外周枠１１の短辺である縦枠辺１１ａは、前記第１の枠半体１３の縦枠線部１３ａと、第２の枠半体１４の縦枠線部１４ａとによってそれぞれ形成される。
なお、前記第１の枠半体１３の横枠線部１３ｂと第２の枠半体１４の横枠線部１４ｂとの前記環１５，１６による連結部の位置は、前記横枠辺１１ｂの中央部に位置している。
【００２２】
前記骨線１７は、前記外周枠１１を形成する針金と同様の針金により形成され、前記金網パネル２の長手方向の中央部に列線１２を縫うように配置されて該列線１２に係止することにより、前記金網パネル２の中間部を補強する補強線としての役目を果たすものであり、この実施形態においては、前記一対の枠半体１３，１４を相互に連結するための連結部材も兼ねている。
なお、図示した例では、前記骨線１７が、隣接する列線１２の折曲部１２ａが係止する連繋部１２ｂの位置から外れた位置に挿通されているが、前記連繋部１２ｂの位置に挿通することもできる。
【００２３】
そして、前記第１の枠半体１３の縦枠線部１３ａと第２の枠半体１４の縦枠線部１４ａとに、前記列線１２の一端１２ｃと他端１２ｄとをそれぞれ巻き付けて連結することにより、前記底面の金網パネル２が形成される。
【００２４】
なお、前述した場合とは違い、前記一対の枠半体１３，１４を前記金網板１０の長手方向の一半部側と他半部側とに装着したあと、該一対の枠半体１３，１４の縦枠線部１３ａ，１４ａにそれぞれ前記列線１２の両端を連結する作業を先に行い、そのあとに、前記一対の枠半体１３，１４の横枠線部１３ｂ，１４ｂ同士を相互に連結する作業を行っても良い。
【００２５】
完成した前記金網パネル２において、その四隅は、針金が単に直角に折り曲げられた状態になっていて、図７−図１０に示す従来の金網パネルのように隣接する２本の枠線の端部同士が連結された状態になっていないため、該四隅における枠線相互の変位や位置ずれ等による外周枠１１の弛みや変形等が生じにくく、これに起因する金網パネル全体の弛みや変形等も生じにくい。
この点は、前記前面、後面及び上面の金網パネル３，４，７も前記底面の金網パネル２と同様の構成を有しているため、同じである。
【００２６】
一方、前記左面及び右面の金網パネル５，６においては、図３に示すように、矩形の金網板１０の四つの辺にそれぞれ枠線１８ａ，１８ｂ，１８ｃ，１８ｄが個別に取り付けられ、前記金網パネル５，６のコーナー部即ち四隅において、隣接する枠線の端部同士を環状又は鉤状に折り曲げて相互に絡ませ、連結することにより、前記外周枠１１が形成されている。
【００２７】
前記構成を有する金網パネル２−７でふとん篭１Ａを形成するときは、六面の前記金網パネル２−７を直方体状に配置し、図１に示すように、隣接する金網パネル２−７の外周枠１１の相対する枠辺同士をコイル状の連結金具１９を巻き付けて連結することにより、前記ふとん篭１Ａが形成される。
【００２８】
このとき、図３から明らかなように、前記左面及び右面の金網パネル５，６の外周枠１１は、四本の枠線１８ａ−１８ｄが該金網パネル５，６の四隅で連結されているが、図３及び図４から明らかなように、前記底面、前面、後面及び上面の金網パネル２，３，４，７の外周枠１１は、コ字形をした一対の枠半体１３，１４により形成されているので、図２に図１の一部の稜角部にＣについて示すように、ふとん篭１Ａの該稜角部に枠線１８ａ−１８ｄの連結部が来るのは、前記左面又は右面の金網パネル５又は６の分だけであり、図８に示す従来のふとん篭のように稜角部を取り囲む三つの金網パネルのコーナー部の枠線の連結部が全て該稜角部に集中することがないため、各金網パネル２−７を隙間なく整然としかも安定的に配置して連結することが可能である。
【００２９】
前記ふとん篭１Ａは、上面の金網パネル７を開いた状態で内部に栗石等の石材を充填した後、前記上面の金網パネル７を閉じることにより、石詰めされたふとん篭１Ａ即ち石詰篭を形成し、それを設置現場に輸送して前後、左右、上下に並べて設置することにより、海岸、河岸、湖岸等の岸辺に護岸壁を構築したり、傾斜地の法面に補強壁を構築したりする。このとき、前記護岸壁や補強壁の強度を高める必要があるときは、隣接する石詰篭同士を相互に連結する。
【００３０】
前記石詰篭即ちふとん篭１Ａ同士の連結は、通常、左右に隣接するふとん篭１Ａの前面の金網パネル３又は後面の金網パネル４の外周枠１１の縦枠辺１１ａ同士を、一緒に結束されている左面の金網パネル５又は右面の金網パネル６の外周枠１１の縦枠辺１８ａと共に、針金で結着することにより行われるが、前記前面及び後面の金網パネル３，４の外周枠１１は、一対の枠半体１３，１４により形成されていて長手方向にも短手方向にも緩みにくいため、前記外周枠１１による連結強度は大きくなる。
【００３１】
また、前記前面の金網パネル３又は後面の金網パネル４の外周枠１１の縦枠辺１１ａ同士を連結する代わりに、あるいはそれに加えて、上面の金網パネル７の外周枠１１の縦枠辺１１ａ同士を、一緒に結束されている左面の金網パネル５又は右面の金網パネル６の外周枠１１の縦枠辺１８ｃと共に針金で結着するようにしても、同様の強度が得られる。
さらには、前後に隣接するふとん篭１Ａの上面の金網パネル７の外周枠１１の横枠辺１１ｂ同士を、一緒に結束されている前面の金網パネル３又は後面の金網パネル４の外周枠１１の横枠辺１１ｂと共に、針金で結着することもできるが、この場合にも同様の強度が得られることになる。
【００３２】
前記実施形態では、前記底面、前面、後面及び上面の金網パネル２，３，４，７の外周枠１１を形成する一対の枠半体１３，１４の連結を、左右の横枠線部１３ｂ，１４ｂの先端に形成された環１５，１６同士を前記骨線１７で結着、固定することにより行っているが、前記環１５，１６同士を骨線１７以外の針金で結着、固定し、前記骨線１７は、前記環１５，１６による連結部の位置とは別の位置に取り付けることもできる。
【００３３】
あるいは、前記一対の枠半体１３，１４同士の連結を、前述したように横枠線部１３ｂ，１４ｂの先端に予め形成した環１５，１６同士を骨線１７や針金等で結着するのではなく、第１の枠半体１３の横枠線部１３ｂの先端と第２の枠半体１４の横枠線部１４ｂの先端とを、直接係止させることによって連結しても良く、この場合、前記骨線１７は、前記横枠線部１３ｂ，１４ｂの先端同士が係止し合う連結部の位置に、両横枠線部１３ｂ，１４ｂに係止するように取り付けても、該連結部とは無関係の位置に取り付けても良い。
【００３４】
また、前記一対の枠半体１３，１４の大きさは互いに異なっていても良く、その場合、横枠線部１３ｂ，１４ｂ同士を連結する連結部の位置は、前記外周枠１１の長手方向の中央より何れか一端側に偏奇した位置を占めることになる。このとき、前記骨線１７は、前記連結部の位置とは無関係に金網パネル２，３，４，７の中央に配設されるが、前記連結部が該金網パネル２，３，４，７の中央に比較的近い位置にあるときは、該連結部の位置に配設することもできる。
【００３５】
更に、前記実施形態では、前記底面、前面、後面及び上面の金網パネル２，３，４，７の外周枠１１が一対の枠半体１３，１４によって形成されているが、少なくとも前面及び後面の金網パネル３，４の外周枠１１が一対の枠半体１３，１４によって形成されていれば良く、前記底面及び上面の金網パネル２，７の外周枠１１は、左面及び右面の金網パネ５，６の外周枠１１と同様に、四本の枠線１８ａ，１８ｂ，１８ｃ，１８ｄにより形成されていても構わない。
【００３６】
ふとん篭１Ａをこのように構成した場合、その稜角部には、底面の金網パネル２と左面又は右面の金網パネル５又は６、あるいは上面の金網パネル７と左面又は右面の金網パネル５又は６と言ったように、二面の金網パネルのコーナー部の枠線１８ａ，１８ｂ，１８ｃ，１８ｄの連結部が集まることになるが、従来のふとん篭１Ａのように三面全ての金網パネルのコーナー部の枠線の連結部が集中することはないため、従来品に比べてふとん篭１Ａの形成は容易であり、また、現場に設置したふとん篭１Ａ同士の連結を、前記前面又は後面の金網パネル３又は４の外周枠１１によって行うことでその連結強度を高めることができるため、本発明の目的を達成することができる。
【００３７】
図５には、本発明に係るふとん篭の第２実施形態が示されている。この第２実施形態のふとん篭１Ｂは、図６の展開図から明らかなように、底面、前面、後面、左面、右面及び上面の六面の金網パネル２−７のうち、底面、前面及び後面の三面の金網パネル２，３，４が一連の菱形金網よって一体に形成されている点で、前記第１実施形態のふとん篭１Ａと相違している。
【００３８】
即ち、前記底面、前面及び後面の金網パネル２，３，４の金網板１０は、列線１２を各金網パネル２，３，４の長さ方向（ふとん篭１Ａの長さＬ方向）に延在させた一枚の菱形金網１０Ａにより形成されていて、各金網パネル２，３，４にそれぞれ外周枠１１が取り付けられている。
【００３９】
このうち、前記前面及び後面の金網パネル３，４の外周枠１１は、前記第１実施形態における前面及び後面の金網パネル３，４の外周枠１１と同様に、一対の枠半体１３，１４により形成されていて、該一対の枠半体１３，１４が、左右の横枠線部１３ｂ，１４ｂの先端に形成された環１５，１６同士を骨線１７で結着、固定することにより、相互に連結されている。
【００４０】
一方、前記底面の金網パネル２の外周枠１１においては、縦枠辺１１ａ及び左右の横枠辺１１ｂのうち、左右の横枠辺１１ｂが、前記前面及び後面の金網パネル３，４の外周枠１１の横枠辺１１ｂによって兼用されている。
即ち、前記底面の金網パネル２の短手方向一端側の横枠辺１１ｂは、前記前面の金網パネル３の外周枠１１の二つの横枠辺１１ｂのうちの、該底面の金網パネル２との境界に配設された横枠辺１１ｂによって兼用され、前記金網パネルの短手方向他端側の横枠辺１１ｂは、前記後面の金網パネル４の外周枠１１の二つの横枠辺１１ｂのうちの、該底面の金網パネル２との境界に配設された横枠辺１１ｂによって兼用されている。
【００４１】
これに対して、前記底面の金網パネル２の長手方向の一端及び他端に位置する縦枠辺１１ａは、それぞれ独立する枠線により形成されていて、該枠線の両端が、前記横枠辺１１ｂの端部にそれぞれ結着されている。
そして、前記底面の金網パネル２の長手方向の中間位置には、補強用の骨線１７が配設され、該骨線１７の両端が、前記横枠辺１１ｂにおける横枠線部１３ｂ，１４ｂの環１５，１６による連結部に結着されている。
【００４２】
また、前記上面の金網パネル７は、前記第１実施形態のふとん篭１Ａにおける上面の金網パネル７と同じ構成を有し、左面及び右面の金網パネル５，６も、前記第１実施形態のふとん篭１Ａにおける左面及び右面の金網パネル６と同じ構成を有している。
【００４３】
この第２実施形態のふとん篭１Ｂを図６の状態から組み立てるときは、図５に示すように、前記前面及び後面の金網パネル３，４を前記横枠辺１１ｂの位置で折り曲げて起立させたあと、左面及び右面の金網パネル５，６を連結金具１９で底面、前面及び後面の金網パネル２，３，４に連結することにより容体部分を組み立てる。そして、この容体部分に石材を充填したあと上面の金網パネル７を取り付けることにより、前記ふとん篭１Ｂが形成される。
【００４４】
なお、前記第２実施形態においても、前記第１実施形態の場合と同様に、前記底面、前面、後面及び上面の金網パネル２，３，４，７の外周枠１１の一対の枠半体１３，１４は、環１５，１６同士を骨線１７とは別の針金で結着、固定し、前記骨線１７は、前記環１５，１６による連結部の位置とは別の位置に取り付けることもでき、また、前記一対の枠半体１３，１４同士の連結を、一方の枠半体の横枠線部１３ｂの先端と他方の枠半体の横枠線部１４ｂの先端とを、直接係止させることによって連結することもできる。
【００４５】
さらに、前記各実施形態において、前記左面及び右面の金網パネル５，６の外周枠１１は、他の金網パネル２，３，４，７の外周枠１１と同様に、コ字形をした一対の枠半体を連結することより形成しても良く、あるいは、１本の針金を、金網板１０の全周を取り囲むように取り付けることにより形成することもできる。また、該左面及び右面の金網パネル５，６は、その長さが短いため、中央部に補強用の骨線を設ける必要はないが、他の金網パネル２，３，４，７と同様に骨線を取り付けても構わない。
【符号の説明】
【００４６】
１Ａ，１Ｂ      ふとん篭
２，３，４，５，６，７      金網パネル
１０      金網板
１１      外周枠
１１ａ      縦枠辺
１１ｂ      横枠辺
１３，１４      枠半体
１３ａ，１４ａ      縦枠線部
１３ｂ，１４ｂ      横枠線部
１５，１６      環
１７      骨線
【図１】
2017066837.tif 000003
【図２】
2017066837.tif 000004
【図３】
2017066837.tif 000005
【図４】
2017066837.tif 000006
【図５】
2017066837.tif 000007
【図６】
2017066837.tif 000008
【図７】
2017066837.tif 000009
【図８】
2017066837.tif 000010
【図９】
2017066837.tif 000011
【図１０】
2017066837.tif 000012